(57)【要約】【課題】  安価な手法により、加熱ロール通過直後の用紙通路に配備された用紙送りローラ及び用紙ガイド付近の結露を防止し、裏面印刷時の転写・定着不良、及びｊＡＭを防止することを課題とする。【解決手段】  加熱ロールと、該加熱ロールに対し圧接可能に設けられた加圧ロールとを有し、未定着トナー像を保持した印刷用紙を前記加熱ロールと前記加圧ロールとで挟持搬送し、前記未定着トナー像を前記印刷用紙に定着させる定着装置を有する印刷装置において、前記加熱ロール通過直後の用紙通路に該加熱ロールと前記印刷装置外部の中間温度の領域を設け、前記中間温度の領域の温度を保ちながら、前記中間温度の領域から前記定着装置外部へ排気する排気手段を設けた。【選択図】  図１
2006215357.tif 000002
【特許請求の範囲】
【請求項１】
加熱ロールと、該加熱ロールに対し圧接可能に設けられた加圧ロールとを有し、未定着トナー像を保持した印刷用紙を前記加熱ロールと前記加圧ロールとで挟持搬送し、前記未定着トナー像を前記印刷用紙に定着させる定着装置を有する印刷装置において、前記加熱ロール通過直後の用紙通路に該加熱ロールと前記印刷装置外部の中間温度の領域を設け、前記中間温度の領域の温度を保ちながら、前記中間温度の領域から前記定着装置外部へ排気する排気手段を設けたことを特徴とする定着装置。
【請求項２】
前記加熱ロールの熱を該加熱ロール通過直後の用紙通路に取り込むことにより、前記加熱ロールと印刷装置外部の中間温度の領域を形成したことを特徴とする請求項１記載の定着装置。
【請求項３】
前記加熱ロール通過直後の用紙通路に該加熱ロールの熱を取り込むための送風機を有し、該送風機が前記定着装置外部への排気機能を兼ねたことを特徴とする請求項２記載の定着装置。
【請求項４】
前記中間温度の領域から定着装置外部への排気は、用紙走行に沿った向きにしたことを特徴とする請求項１記載の定着装置。
【請求項５】
前記中間温度の領域から印刷装置外部への排気風が印刷用紙に直接当たらない向きとしたことを特徴とする請求項１記載の定着装置。
【発明の詳細な説明】
【技術分野】
【０００１】
本発明は、電子写真方式などを利用した印刷機であって、熱定着方式を用いた定着装置に関するものである。
【背景技術】
【０００２】
電子写真印刷装置は、光導電性を有する感光体表面に光学部により印刷データを露光し、感光体表面に電位差を生じさせ、粉体インクであるトナ−を現像機により現像し、感光体表面から印刷用紙に転写させ、トラクタにより定着装置に印刷用紙が送り出される。
【０００３】
図３に示すように、定着装置に送り出された印刷用紙５上のトナー３は、内部にヒータを有する加熱板８より印刷用紙５裏面より熱を受け軟化を始める。軟化を始めたトナー３は、内部にヒータを有する加熱ロール９と加圧ロール１０とにより挾持搬送されることにより印刷用紙５上に定着さる。定着された印刷用紙５は、用紙送りローラ１１を通過し、用紙折り畳み部に送り出されて折り畳まれる。
【０００４】
前記構成の印刷装置で両面印刷を行う場合には、前記折り畳み部での折り畳みを行わず、印刷装置外部に印刷用紙５を送り出し、直列に配備された２台の印刷装置の後工程側の印刷装置に印刷用紙５が送り込まれ、裏面の印刷が行われる。
【０００５】
前記構成のように、加熱ロール９と加圧ロール１０にて加熱、加圧し挟持搬送する定着装置では、加熱ロール９通過直後の用紙通路に配備された用紙送りローラ１１及び付近に設置された用紙ガイドには、印刷用紙５より蒸発した水分により、高湿環境となる。
【０００６】
加熱ロール９通過直後の用紙通路の高湿環境を緩和させるために、加熱ロール９直後の用紙通路に加熱部材１４を配備しているものもある（例えば、特許文献１参照。）。
【０００７】
【特許文献１】特開２００１−５３１７号公報
【発明の開示】
【発明が解決しようとする課題】
【０００８】
従来の定着装置では、加熱ロール通過直後の用紙通路に配備された用紙送りローラ及び付近の用紙ガイドが高湿環境となるため、以下の問題があった。
【０００９】
１．高湿環境下にさらされた、用紙送りローラ、及び近傍に配備された用紙ガイドに結露による水滴が発生し、該水滴が印刷用紙に付着して印刷用紙に凹凸が発生し、該凹凸により裏面印刷時の転写不良・定着不良が発生する。
【００１０】
２．高湿環境下にさらされた用紙ガイドに結露により水滴が発生し、用紙ガイドと用紙の摩擦係数が増加してＪＡＭが発生する。また、加熱ロール直後の用紙通路に加熱部材を配備した場合も、高湿環境の空気を印刷装置外部への排気する手段がないため、同様の問題が発生する。
【００１１】
さらには、次の問題もあった。
【００１２】
１．加熱部材及び加熱部材の温度制御を有するため、装置価格を増大させるとともに、複雑な制御を要する。
【００１３】
２．加熱部材により、装置の消費電力を増大させるとともに、電源容量の増加に伴い装置が大型化する。
【００１４】
本発明の目的は、安価な手法により、加熱ロール通過直後の用紙通路に配備された用紙送りローラ及び用紙ガイド付近の結露を防止し、裏面印刷時の転写・定着不良、及びJＡＭを防止することである。
【課題を解決するための手段】
【００１５】
前記目的は、前記加熱ロール通過直後の用紙通路に加熱ロールと印刷装置外部の中間温度の領域を設け、前記中間温度の領域の温度を保ちながら前記中間温度の領域から定着装置外部への排気手段を設けることにより達成される。
【発明の効果】
【００１６】
本発明によれば、前記加熱ロール通過直後の用紙通路に加熱ロールと印刷装置外部の中間温度の領域を設け、前記中間温度の領域の温度を保つことにより、用紙送りローラと用紙ガイドの温度を加熱ロールと印刷装置外部の中間温度に保つことができて結露し難い状態とし、さらに用紙から蒸発され続ける高湿空気を排気することができるので、結露による水滴付着及び高湿環境における用紙の吸水による裏面印刷時の転写・定着不良及び、用紙ガイドに結露した水滴によるＪＡＭを防止することができる。
【発明を実施するための最良の形態】
【００１７】
加熱ロール通過直後の用紙通路に加熱ロールと印刷装置外部の中間温度の領域を設ける手段として、加熱ロールからの熱の取り込み、中間温度の領域からの排気風を用紙走行方向に沿う向きとすることにより実現した。
【実施例１】
【００１８】
本発明による一実施例を図１を用いて説明する。
【００１９】
図１において、光導電性を有する感光体表面１に光学部２により印刷データを露光して感光体表面１に電位差を生じさせ、粉体インクであるトナ−３を現像機４により現像する。次いで、感光体表面１から印刷用紙５に転写させ、トラクタ６により定着装置７に印刷用紙５が送り出される。定着装置７に送り出された印刷用紙５上のトナー３は、内部にヒータを有する加熱板８より印刷用紙５裏面より熱を受け軟化を始める。軟化を始めたトナー３は、内部にヒータを有する加熱ロール９と加圧ロール１０とにより挾持搬送されることにより印刷用紙５上に定着される。加熱ロール９通過後、定着装置７外部までの領域には、加熱ロール９を通過した印刷用紙５を用紙折り畳み部１３に送り出すための用紙送りローラ１１及び用紙ガイド１２が配備されている。
【００２０】
本構成の印刷装置では、用紙折り畳み部１３で用紙を折り畳む使用方法と前記折り畳み部１３での折り畳みを行わずに印刷装置外部に印刷用紙５を送り出し、直列に配備された２台の印刷装置の後工程側の印刷装置に印刷用紙５を送り込んで裏面の印刷が行われる使用方法とがある。
【００２１】
紙送りローラ１１と用紙ガイド１２付近には、送風機１５、送風機１６が配備され、送風機１６は、加熱ロール９方向に吸気口を有したダクト１７を有し、加熱ローラ９近傍の高温空気を紙送りローラ１１近傍に引き込んでいる。加熱ロール９は２００℃程度、印刷装置外部は２５℃程度である。加熱ロール９通過直後の用紙通路に配備された紙送りローラ１１及び用紙ガイド１２付近は、加熱ロール９温度と印刷装置外部温度の中間温度となり、４５℃〜６５℃程度の温度である。送風機１５、送風機１６は、定着装置７外部への排気を行っている。送風機１５は、加熱ロール９付近の高温空気を用紙送りローラ１１付近に引き込むと同時に定着機外部への高湿空気の排気も行っており、２つの機能を兼用している。送風機１５の角度Ｘは４５°±５°、送風機１６の角度Ｙは、２５°±５°で配備され、送風機１５と送風機１６の送風方向は印刷用紙の走行方向に対して順方向となり、印刷動作中の用紙の進行による風の流れに沿って送風し、排気効率を高めている。
【００２２】
図示しないが、送風機１５と送風機１６は、用紙幅方向にそれぞれ３個配備されている。送風機１５と送風機１６数量は、印刷速度により各々１個〜５個の範囲で変更することも可能である。
【００２３】
送風機１５及び送風機１６は、印刷動作時及び装置スタンバイ状態で動作する。
【００２４】
上記構成により、前記加熱ロール９通過直後の用紙通路に加熱ロール９と印刷装置外部の中間温度の領域を設けることが可能となって紙送りローラ１１と用紙ガイド１２の温度を加熱ロール９と印刷装置外部の中間温度に保つことができ、高湿度環境下における結露による紙送りローラ１１と用紙ガイド１２への水滴付着を防止しつつ、印刷動作中における用紙から蒸発され続ける高湿空気が蓄積されることを防止することが可能となる。これにより、裏面印刷時の転写・定着不良及び、用紙ガイド１２に結露した水滴によるＪＡＭを防止することができる。
【実施例２】
【００２５】
図２に示す実施例では、送風機１８と送風機１９による排気風が印刷用紙に直接当たらない向きとなっており、角度Ｚ１、Ｚ２は、２５°±５°となっている。本構成では、高湿の排気風による用紙の含水を防止する効果が得られ、同様の効果が得られる。
【図面の簡単な説明】
【００２６】
【図１】本発明の側面図である。
【図２】本発明の側面図である。
【図３】従来の技術を示した側面図である。
【符号の説明】
【００２７】
１．感光体表面
２．光学部
３．トナー
４．現像機
５．印刷用紙
６．トラクタ
７．定着装置
８．加熱板
９．加熱ロール
１０．加圧ロール
１１．紙送りローラ
１２．用紙ガイド
１３．用紙折り畳み部
１４．加熱部材
１５．送風機
１６．送風機
１７．ダクト
１８．送風機
１９．送風機
【図１】
2006215357.tif 000003
【図２】
2006215357.tif 000004
【図３】
2006215357.tif 000005